(57)【要約】【課題】本発明は、表示内容を確認できない状態となった表示手段があっても、表示内容を確認可能な他の表示手段で現在の処理状況が確認可能な情報処理装置及び表示制御方法を提供する。【解決手段】主表示装置４が閉じられ、メインＬＣＤ６及びｃＰａｄ２０が主表示装置４によって覆われて見えなくなった場合、メインＬＣＤ６及び／又は第１のサブＬＣＤ１１２ｂに表示されている情報の一部あるいは要約した情報を、外部へ露出した第２のサブＬＣＤ３１に表示するよう表示制御する。主表示装置４が開かれ、メインＬＣＤ６及びｃＰａｄ２０が外部へ露出する状態となった場合には、第２のサブＬＣＤ３１の表示のみから、メインＬＣＤ６及び／または第１のサブＬＣＤ１１２ｂに詳細情報を表示するよう表示制御する。【選択図】　図４
2004118264.tif 000002
【特許請求の範囲】
【請求項１】
各種アプリケーションプログラムを処理する情報処理装置において、
本体と、
接続部を介して前記本体に開閉自在に接続された主表示装置と、
この主表示装置が閉状態の際にも外部へ露出するよう設けられた副表示装置と、
前記主表示装置の開閉状態を検知する開閉検知部と、
この開閉検知部による開閉検知の結果、開状態から閉状態への変化が検知されると、検出時に前記主表示装置に表示されている処理内容の少なくとも一部の情報を前記副表示装置に表示するよう制御する制御手段と、
を有することを特徴とする情報処理装置。
【請求項２】
前記制御手段は、前記開閉検知部による開閉検知の結果、閉状態から開状態への変化が検知されると、前記副表示装置に表示されている処理内容を前記主表示装置に表示するよう制御することを特徴とする請求項１記載の情報処理装置。
【請求項３】
各種アプリケーションプログラムを処理する情報処理装置において、
本体と、
接続部を介して前記本体に開閉自在に接続された主表示装置と、
この主表示装置よりも小さな表示領域を有し、前記主表示装置が閉状態の際にも外部へ露出するよう設けられた副表示装置と、
前記主表示装置の開閉状態を検知する開閉検知部と、
この開閉検知部による開閉検知の結果、開状態から閉状態への変化が検知されると、検出時に前記主表示装置に表示されている処理内容の一部あるいは要約の情報を前記副表示装置に表示するよう制御する制御手段と、
を有することを特徴とする情報処理装置。
【請求項４】
前記制御手段は、前記開閉検知部による開閉検知の結果、閉状態から開状態への変化が検知されると、前記副表示装置に表示されている処理内容の詳細情報を前記主表示装置に表示するよう制御することを特徴とする請求項３記載の情報処理装置。
【請求項５】
前記制御手段は、前記開閉検知部による開閉検知の結果、閉状態から開状態への変化が検知されると、前記主表示装置が非表示設定されている場合、前記主表示装置を表示可能な状態とした後、前記副表示装置に表示されている処理内容を前記主表示装置に表示するよう制御することを特徴とする請求項２または請求項４のいずれか記載の情報処理装置。
【請求項６】
各種アプリケーションプログラムを処理する情報処理装置において、
本体と、
接続部を介して前記本体に開閉自在に接続された主表示装置と、
この主表示装置が閉状態の際に表示している情報が外部より確認できない位置に設けられた第１の副表示装置と、
前記主表示装置が閉状態の際にも外部へ露出するよう設けられた第２の副表示装置と、
前記主表示装置の開閉状態を検知する開閉検知部と、
この開閉検知部による開閉検知の結果、開状態から閉状態への変化が検知されると、検出時に前記第１の副表示装置に表示されている処理内容の少なくとも一部の情報を前記第２の副表示装置に表示するよう制御する制御手段と、
を有することを特徴とする情報処理装置。
【請求項７】
前記制御手段は、前記開閉検知部による開閉検知の結果、閉状態から開状態への変化が検知されると、前記第２の副表示装置に表示されている処理内容を前記第１の副表示装置に表示するよう制御することを特徴とする請求項６記載の情報処理装置。
【請求項８】
各種アプリケーションプログラムを処理する情報処理装置において、
本体と、
接続部を介して前記本体に開閉自在に接続された主表示装置と、
この主表示装置よりも小さな表示領域を有し、前記主表示装置が閉状態の際に表示している情報が外部より確認できない位置に設けられた第１の副表示装置と、
この第１の副表示装置よりも小さい表示領域を有し、前記主表示装置が閉状態の際にも外部へ露出するよう設けられた第２の副表示装置と、
前記主表示装置の開閉状態を検知する開閉検知部と、
この開閉検知部による開閉検知の結果、開状態から閉状態への変化が検知されると、検出時に前記第１の副表示装置に表示されている処理内容の一部あるいは要約の情報を前記第２の副表示装置に表示するよう制御する制御手段と、
を有することを特徴とする情報処理装置。
【請求項９】
前記制御手段は、前記開閉検知部による開閉検知の結果、閉状態から開状態への変化が検知されると、前記第２の副表示装置に表示されている処理内容の詳細情報を前記第１の副表示装置に表示するよう制御することを特徴とする請求項８記載の情報処理装置。
【請求項１０】
前記制御手段は、前記開閉検知部による開閉検知の結果、閉状態から開状態への変化が検知されると、前記第１の副表示装置が非表示設定されている場合、前記際１の副表示装置を表示可能な状態とした後、前記第２の副表示装置に表示されている処理内容を前記第１の副表示装置に表示するよう制御することを特徴とする請求項７または請求項９のいずれか記載の情報処理装置。
【請求項１１】
本体と、接続部を介して前記本体に開閉自在に接続された主表示装置と、この主表示装置が閉状態の際にも外部へ露出するよう設けられた副表示装置とを有し、各種アプリケーションプログラムを処理する情報処理装置の表示制御方法において、
前記主表示装置の開閉状態を検知するステップと、
この開閉検知の結果、開状態から閉状態への変化が検知されると、検出時に前記主表示装置に表示されている処理内容の少なくとも一部の情報を前記副表示装置に表示するステップと、
を有することを特徴とする表示制御方法。
【請求項１２】
前記開閉検知の結果、閉状態から開状態への変化が検知されると、前記副表示装置に表示されている処理内容を前記主表示装置に表示するステップを有することを特徴とする請求項１１記載の表示制御方法。
【請求項１３】
前記開閉検知の結果、閉状態から開状態への変化が検知されると、前記主表示装置が非表示設定されている場合、前記主表示装置を表示可能な状態とするステップと、
前記副表示装置に表示されている処理内容を表示可能となった前記主表示装置に表示するステップを有することを特徴とする請求項１１記載の表示制御方法。
【請求項１４】
本体と、接続部を介して前記本体に開閉自在に接続された主表示装置と、この主表示装置が閉状態の際に表示している情報が外部より確認できない位置に設けられた第１の副表示装置と、前記主表示装置が閉状態の際にも外部へ露出するよう設けられた第２の副表示装置とを有し、各種アプリケーションプログラムを処理する情報処理装置の表示制御方法において、
前記主表示装置の開閉状態を検知するステップと、
この開閉検知の結果、開状態から閉状態への変化が検知されると、検出時に前記第１の副表示装置に表示されている処理内容の少なくとも一部の情報を前記第２の副表示装置に表示するステップと、
を有することを特徴とする表示制御方法。
【請求項１５】
前記開閉検知の結果、閉状態から開状態への変化が検知されると、前記第２の副表示装置に表示されている処理内容を前記第１の副表示装置に表示するステップを有することを特徴とする請求項１４記載の表示制御方法。
【請求項１６】
前記開閉検知の結果、閉状態から開状態への変化が検知されると、前記第１の副表示装置が非表示設定されている場合、前記第１の副表示装置を表示可能な状態とするステップと、
前記第２の副表示装置に表示されている処理内容を表示可能となった前記第１の副表示装置に表示するステップと、
を有することを特徴とする請求項１４記載の表示制御方法。
【発明の詳細な説明】
【０００１】
【発明の属する技術分野】
本発明は、複数の表示部を有し、収納状態の際に表示内容を確認できない表示部と確認できる表示部とを有する情報処理装置及び表示制御方法に関する。
【０００２】
【従来の技術】
近年、情報処理装置やソフトウェアの高度化に伴い、ユーザに提供する情報量も飛躍的に増加しており、表示装置の大型化や高精細化、更には複数の表示装置を有する情報処理装置が登場してきている。
【０００３】
例えば従来の技術として、特開２００１−３４４０９２号公報には、高解像度の第１の表示手段と低解像度の第２の表示手段とを有する情報処理装置で、第１の表示手段と同様の情報（アイコン等）を表示するよう設定しておくことで、第１の表示手段の表示領域の制約によって他のウィンドウに隠れた状態や表示されていない状態であっても、第２の表示手段で同様の情報を全て表示しており、ユーザが認識できる構成が開示されている。
【０００４】
【特許文献１】
特開２００１−３４４０９２号公報
【０００５】
【発明が解決しようとする課題】
しかしながら、従来の装置では、第１の表示手段と第２の表示手段とで常に同様の情報（アイコン）を表示しており、現在処理されているアプリケーションの情報を表示するものではない。したがって、現在処理中で第１の表示手段に表示されているアプリケーションの状態が表示装置を閉じる等の行為によって見ることができない状態になった場合を何等考慮していない。即ち、第２の表示手段に第１の表示手段と同様なアイコンを表示するのみであり、処理中のアプリケーションの状態は表示装置を閉じてしまうと、外部から認識できなかった。
【０００６】
本発明は、以上の点に鑑みなされたもので、表示内容を確認できない状態となった表示手段があっても、表示内容を確認可能な他の表示手段で現在の処理状況が確認可能な情報処理装置及び表示制御方法を提供することを目的とする。
【０００７】
【課題を解決するための手段】
上記目的を達成するために、本発明の情報処理装置は、各種アプリケーションプログラムを処理する情報処理装置において、本体と、接続部を介して前記本体に開閉自在に接続された主表示装置と、この主表示装置が閉状態の際にも外部へ露出するよう設けられた副表示装置と、前記主表示装置の開閉状態を検知する開閉検知部と、この開閉検知部による開閉検知の結果、開状態から閉状態への変化が検知されると、検出時に前記主表示装置に表示されている処理内容の少なくとも一部の情報を前記副表示装置に表示するよう制御する制御手段とを有することを特徴とする。
【０００８】
上記目的を達成するために、本発明の情報処理装置は、各種アプリケーションプログラムを処理する情報処理装置において、本体と、接続部を介して前記本体に開閉自在に接続された主表示装置と、この主表示装置が閉状態の際に表示している情報が外部より確認できない位置に設けられた第１の副表示装置と、前記主表示装置が閉状態の際にも外部へ露出するよう設けられた第２の副表示装置と、前記主表示装置の開閉状態を検知する開閉検知部と、この開閉検知部による開閉検知の結果、開状態から閉状態への変化が検知されると、検出時に前記第１の副表示装置に表示されている処理内容の少なくとも一部の情報を前記第２の副表示装置に表示するよう制御する制御手段とを有することを特徴とする。
【０００９】
上記目的を達成するために、本発明の表示制御方法は、本体と、接続部を介して前記本体に開閉自在に接続された主表示装置と、この主表示装置が閉状態の際にも外部へ露出するよう設けられた副表示装置とを有し、各種アプリケーションプログラムを処理する情報処理装置の表示制御方法において、前記主表示装置の開閉状態を検知するステップと、この開閉検知の結果、開状態から閉状態への変化が検知されると、検出時に前記主表示装置に表示されている処理内容の少なくとも一部の情報を前記副表示装置に表示するステップと、を有することを特徴とする。
【００１０】
上記目的を達成するために、本発明の表示制御方法は、本体と、接続部を介して前記本体に開閉自在に接続された主表示装置と、この主表示装置が閉状態の際に表示している情報が外部より確認できない位置に設けられた第１の副表示装置と、前記主表示装置が閉状態の際にも外部へ露出するよう設けられた第２の副表示装置とを有し、各種アプリケーションプログラムを処理する情報処理装置の表示制御方法において、前記主表示装置の開閉状態を検知するステップと、この開閉検知の結果、開状態から閉状態への変化が検知されると、検出時に前記第１の副表示装置に表示されている処理内容の少なくとも一部の情報を前記第２の副表示装置に表示するステップとを有することを特徴とする。
【００１１】
【発明の実施の形態】
以下、本発明に係る実施の形態について図面を参照して詳細に説明する。図１は、本発明の一実施の形態に係る情報処理装置としてのノート型パーソナルコンピュータＡ（以下ノート型パソコンと称す）の斜視図である。
【００１２】
ノート型パソコンＡの本体１は樹脂製の上ケース２および樹脂製の下ケース３を有している。本体１の上面にはキーボード９が搭載されている。本体１の上面前部（キーボード９の前側）はユーザーがキーボード９へのデータ入力の際に掌を置くためのアームレスト７が形成される。
【００１３】
本体１の後部には一対のヒンジ部５ａ、５ｂを介して主表示装置４が開位置と閉位置との間を回動自在に接続されている。主表示装置４にはデータを表示するための主表示手段としての高解像度の液晶ディスプレイ（以下メインＬＣＤと略す）６が組み込まれている。
【００１４】
また、アームレスト７のほぼ中央部には、表示一体型のポインティングデバイスとして用いられる第１の副操作部としてのｃＰａｄ２０が配置されており、第１の副表示装置としての低解像度のディスプレイ（以下、第１のサブＬＣＤ）１１２ｂが設けられている。
【００１５】
更にノート側パソコンＡの本体１上面上の（ｃＰａｄ２０の）手前側には、第２の副操作部３０が配置されており、後述する複数の操作ボタン１５と第２の副表示装置としての低解像度のディスプレイ（以下第２のサブＬＣＤ）３１が設けられている。
【００１６】
また、ノート型パソコンＡの本体１の奥手側には、本パソコンＡの電源をオン／オフするためのパワーボタン１１と、主表示装置４の開閉を検知する開閉検知部１２とが設けられている。
【００１７】
第２の副表示装置３０における複数の操作ボタン１５は、それぞれハードウェアから構成された外部入力ボタンであり、特定のプログラムの起動やオーディオ再生制御等のための専用ボタンとして使用される。
【００１８】
第２のサブＬＣＤ３１は、本ノート型パソコンＡの各種ステータスを表示するために設けられた第２の副表示装置であり、オーディオ再生の状態を示す情報の他、例えば外部ＡＣ電源の接続の有無、ハードディスクドライブのアクセスの有無、時計情報などの様々なシステムステータスを表示することができる。
【００１９】
そして、主表示装置４を閉じた場合、キーボード９、ｃＰａｄ２０については主表示装置４によって覆われるが、第２の副操作部３０（第２のサブＬＣＤ３１）については外部へ露出されたままとなる。これにより、主表示装置４を閉じた状態においても、ユーザは第２のサブＬＣＤ３１の表示を見ることができる。
【００２０】
図２は、図１に示したノート型パソコンＡのシステム構成を示すブロック図である。
このノート型パソコンＡは、図示するように、ＣＰＵ２０１、ホストブリッジ２０２、主メモリ２０３、グラフィックスコントローラ２０４、ＰＣＩ−ＩＳＡブリッジ２０６、Ｉ／Ｏコントローラ２０７、ハードディスクドライブ（ＨＤＤ）２０８、ＣＤ−ＲＯＭドライブ２０９、ＵＳＢコントローラ２１０、エンベデッドコントローラ／キーボードコントローラＩＣ（ＥＣ／ＫＢＣ）２１１、電源コントローラ２１３、及びＢＩＯＳ−ＲＯＭ２１５等が設けられている。
【００２１】
ＣＰＵ２０１は、ノート型パソコンＡの動作を制御するために設けられたもので、ＨＤＤ２０８から主メモリ２０３にロードされたオペレーションシステムおよびアプリケーションプログラム／ユーティリティプログラム、更に後述する図５に示す表示制御に関するプログラムを実行する。
【００２２】
ホストブリッジ２０２は、ＣＰＵ２０１のローカルバスとＰＣＩバス１００との間を双方向で接続するブリッジデバイスである。グラフィックスコントローラ２０４は本パソコンＡのメインＬＣＤ６を制御する。
【００２３】
Ｉ／Ｏコントローラ２０７はＨＤＤ２０８、ＣＤ−ＲＯＭ２０９等を制御する。ＰＣＩ−ＩＳＡブリッジ２０６はＰＣＩバス１００とＩＳＡバス２００を双方向で接続するブリッジデバイスであり、ここには例えばシステムタイマ、ＤＭＡコントローラ、割り込みコントローラなどの各種システムデバイスも内蔵されている。
【００２４】
ＵＳＢコントローラ２１０には、上述したｃＰａｄ２０が接続されている。このｃＰａｄ２０は、タッチパッド１１２ａと、第１の副表示装置としての第１のサブＬＣＤ１１２ｂと、バックライト１１２ｃとが一体化され、レフト（左）ボタン１１３ａ、ライト（右）ボタン１１３ｂ、及びミドル（中）ボタン１１３ｃを含んで構成される。また、ＥＣ／ＫＢＣ２１１には、上述した第２のサブＬＣＤ３１を含む第２の副操作部３０が接続されている。
【００２５】
ＥＣ／ＫＢＣ２１１は、電力管理のためのエンベデッドコントローラ（ＥＣ）とキーボード９を制御するためのキーボードコントローラ（ＫＢＣ）とが集積された１チップマイクロコンピュータである。
【００２６】
このＥＣ／ＫＢＣ２１１は、電源コントローラ２１３と協同して、ユーザによるパワーボタン１１の操作に応じて本パソコンＡをパワーオン／パワーオフする機能を有している。また、開閉検知部１２からの検出信号に基いて、電源コントローラ２１３と協同して、メインＬＣＤ６やｃＰａｄ２０への電力供給を制御する機能を有している。
【００２７】
また、ＥＣ／ＫＢＣ２１１は、後述するように、開閉検知部１２からの検出信号に基いて、主表示装置４の閉動作に伴って覆われてしまうメインＬＣＤ６あるいは第１のサブＬＣＤ１１２ｂの表示と、常に外部へ露出した状態である第２のサブＬＣＤ３１の表示とを切替え制御する機能を有している。
【００２８】
ＢＩＯＳ−ＲＯＭ２１５には、ＢＩＯＳが格納されている。このＢＩＯＳは本システム内のハードウェアコンポーネントを制御するためのプログラムである。このＢＩＯＳには、システムタイマから時間情報を読み取る機能や、ＥＣ／ＫＢＣ２１１を制御してサブＬＣＤ３０に表示される時刻を修正する機能なども含まれている。
【００２９】
図３は、主要部における表示制御の動作を説明するプログラム構成図である。ここでは、メインＬＣＤ６及び／又は第１のサブＬＣＤ１１２ｂに表示される内容に対応させて特に第２のサブＬＣＤ３１に表示する内容を予め記録した設定テーブル３０１、開閉検知部１２からの検知信号に応じて設定テーブル３０１に設定された内容（例えば項目）に従ってメインＬＣＤ６及び／又は第１のサブＬＣＤ１１２ｂと、第２のサブＬＣＤ３１との間の後述する図４及び図５に示す表示制御を行う制御プログラム３００、そしてメインＬＣＤ６とグラフィックスコントローラ２０４、ｃＰａｄ２０とＵＳＢコントローラ２１０、第２のサブＬＣＤ３１とＥＣ／ＫＢＣ２１１を構成要素としている。
【００３０】
図４は、メインＬＣＤ６、第１のサブＬＣＤ１１２ｂ、及び第２のサブＬＣＤ３１に関して、同一の情報を表示する場合の夫々の表示装置における表示内容を概略的に示す図である。本実施例では、オーディオに関するアプリケーションの処理に関するオーディオ情報を表示した場合を用いて説明する。
【００３１】
図４（ａ）はメインＬＣＤ６におけるオーディオ情報の表示内容を示す図であり、図４（ｂ）は第２のサブＬＣＤ３１におけるオーディオ情報の表示内容を示す図であり、図４（ｃ）は第１のサブＬＣＤ１１２ｂにおけるオーディオ情報の表示内容を示す図である。
【００３２】
尚、本実施例では、その表示領域の大きさ及び解像度を、メインＬＣＤ６＞第１のサブＬＣＤ１１２ｂ＞第２のサブＬＣＤ３１のように構成しているため、一度に表示可能な情報量も、表示領域の大きさ及び解像度と同様に、メインＬＣＤ６＞第１のサブＬＣＤ１１２ｂ＞第２のサブＬＣＤ３１となる。
【００３３】
図４（ａ）に示すメインＬＣＤ６では、現在、再生中のオーディオ情報として、例えばタイトル６１、収録されている曲名とその順番と各所要時間等を含むプレイリスト６２、視覚効果アニメーション６３等が表示される。
【００３４】
図４（ｃ）に示す第１のサブＬＣＤ１１２ｂは、その表示領域の大きさの関係から、図４（ａ）に示すメインＬＣＤ６に表示される情報の一部に相当する、再生中のオーディオ情報のタイトル、再生秒数、プレイリストの再生曲順、アーティスト名が表示される。
【００３５】
図４（ｂ）に示す第２のサブＬＣＤ３１は、その表示領域の大きさの関係から、図４（ａ）のメインＬＣＤ６及び図４（ｃ）の第１のサブＬＣＤ１１２ｂに表示される情報の一部に相当する、再生中のオーディオ情報のタイトルのみ表示される。
【００３６】
そして、本実施例では、主表示装置４が閉じられ、メインＬＣＤ６及びｃＰａｄ２０が主表示装置４によって覆われて見えなくなった場合、制御プログラム３００は、制御テーブル３０１を参照して、図４（ａ）（ｃ）に示すように、メインＬＣＤ６及び／又はｃＰａｄ２０の第１のサブＬＣＤ１１２ｂに表示されている情報からその一部あるいは要約した情報を抽出し、外部へ露出した第２のサブＬＣＤ３１に図４（ｂ）に示すように表示するよう表示制御する。
【００３７】
また、本実施例では、主表示装置４が開かれ、メインＬＣＤ６及びｃＰａｄ２０が外部へ露出する状態となった場合には、制御プログラム３００は、図４（ｂ）に示す第２のサブＬＣＤ３１の表示のみから、メインＬＣＤ６及び／またはｃＰａｄ２０の第１のサブＬＣＤ１１２ｂに図４（ａ）（ｂ）に示すように詳細情報を表示するよう表示制御する。
【００３８】
尚、主表示装置４が開かれ、メインＬＣＤ６及びｃＰａｄ２０が外部へ露出する状態となった場合には、第２のサブＬＣＤ３１の表示内容の詳細情報を、ｃＰａｄ２０の第１のサブＬＣＤ１１２ｂには表示せずメインＬＣＤ６にのみ表示してもよく、逆にメインＬＣＤ６には表示せずｃＰａｄ２０の第１のサブＬＣＤ１１２ｂにのみ表示してもよく、またメインＬＣＤ６と第１のサブＬＣＤ１１２ｂの両方に表示を行っても良い。
【００３９】
図５は、ノート型パソコンＡにおける表示制御方法を説明するフローチャート図である。
図５に示すように、ノート型パソコンＡでは、制御プログラム３００は、開閉検知部１２によりメインＬＣＤの開閉検知信号を受信すると（ＳＴ１１）、この検知結果が開状態から閉状態への動作を検知している場合（ＳＴ１２）、制御テーブル３０１を参照し、第２のサブＬＣＤ３１に表示する内容を確認する。
【００４０】
この制御テーブル３０１において第２のサブＬＣＤ３１に表示する内容として、例えば『タイトル』という項目が設定されていた場合、制御プログラム３００は、メインＬＣＤ６（及び／又はｃＰａｄの第１のサブＬＣＤ１１２ｂ）に表示された表示内容を記憶した主メモリ２０３に記憶された再生中のファイルから、予め設定されている項目（例えばタイトル）の情報を読み出し、図４（ｂ）に示すように第２のサブＬＣＤ３１に表示するよう制御する（ＳＴ１３）。
【００４１】
また、検知結果が閉状態から開状態への動作を検知した場合（ＳＴ１２、ＳＴ１４）、制御プログラム３００は、メインＬＣＤ６（及び／又はｃＰａｄの第１のサブＬＣＤ１１２ｂ）の該当ウィンドウが最小表示等の非表示の設定がされているかを確認する。
【００４２】
ここで、非表示設定されていると判断されると（ＳＴ１５）、制御プログラム３００は、グラフィックスコントローラ２０４及び／又はＵＳＢコントローラ２１０を介してこのウィンドウをアクティブな状態とした後（ＳＴ１６）、第２のサブＬＣＤ３１のみに表示されていた表示情報の（主メモリ２０３に記憶されている）詳細情報をアクティブとなったメインＬＣＤ６（及び／又はｃＰａｄの第１のサブＬＣＤ１１２ｂ）に表示するよう制御する（ＳＴ１７）。
【００４３】
そして、メインＬＣＤ６（及び／又はｃＰａｄの第１のサブＬＣＤ１１２ｂ）に、図４（ａ）又は図４（ｃ）に示すように、詳細情報が表示される。
【００４４】
本実施の形態では、メインＬＣＤを含む主表示装置の開閉状態に伴って、主表示装置によって覆われてしまい外部から見ることができない表示装置（本実施例の場合、メインＬＣＤとｃＰａｄの第１のサブＬＣＤ）に表示されていた内容の一部あるいは要約を、主表示装置によってカバーされず、外部から見ることができる表示装置（本実施例の場合、第２のサブＬＣＤ）に表示するようにした。
【００４５】
従って、表示内容を確認できない状態となった表示手段があっても、表示内容を確認可能な他の表示手段で現在の処理状況が確認できるという効果を奏する。
【００４６】
また、主表示装置の状態によって、今迄覆われていて外部から見ることが出来なかった表示装置が、外部から見れる状態となると、第２のサブＬＣＤのみに表示されていた内容を、メインＬＣＤや第１のサブＬＣＤに詳細表示するようにした。
【００４７】
また、たとえメインメモリや第１のサブＬＣＤのウィンドウを最小表示などの非表示状態としていたとして、主表示装置を開状態にすることによって、自動的にウィンドウをアクティブにして、第２のサブＬＣＤのみに表示されていた内容を、メインＬＣＤや第１のサブＬＣＤに詳細表示するようにした。
【００４８】
従って、ユーザは煩雑な操作をすることなく、主表示装置の開閉状態によって、表示装置の領域や解像度に応じた情報量で、現在の処理情報を常に表示可能（即ち確認可能）となるという効果を奏する。
【００４９】
【発明の効果】
以上説明したように、本発明によれば、表示内容を確認できない状態となった表示手段があっても、表示内容を確認可能な他の表示手段で現在の処理状況が確認できる。
【図面の簡単な説明】
【図１】本発明の実施形態における情報処理装置であるノート型パーソナルコンピュータＡの外観構成を示す斜視図。
【図２】ノート型パソコンＡのシステム構成を示すブロック図。
【図３】表示制御の動作を説明するプログラム構成図。
【図４】メインＬＣＤ６、第１のサブＬＣＤ１１２ｂ、第２のサブＬＣＤ３１の表示内容を説明する概略図。
【図５】ノート型パソコンＡにおける表示制御方法を説明するフローチャート図。
【符号の説明】
Ａ　　情報処理装置、ノート型パソコン
１　　情報処理装置およびノート型パソコンの本体
２、３　　情報処理装置およびノート型パソコンのケース
４　　表示装置
５ａ、５ｂ　　ヒンジ部
６　　メインＬＣＤ
７　　パームレスト
９　　キーボード
１２　　開閉検出部
２０　　第１の副操作部（ｃＰａｄ）
３０　　第２の副操作部
３１　　第２のサブＬＣＤ
１１２ｂ　　第１のサブＬＣＤ
【図１】
2004118264.tif 000003
【図２】
2004118264.tif 000004
【図３】
2004118264.tif 000005
【図４】
2004118264.tif 000006
【図５】
2004118264.tif 000007